(57)【特許請求の範囲】
【請求項１】
部材同士の連結状態が係合爪によって保持されており、前記係合爪を係合解除姿勢に撓み変形させると連結状態が解除される椅子であって、
前記係合爪によって連結される複数の部材のうちいずれかに、前記係合爪を係合解除姿勢に撓み変形させる回動式のレバーが設けられており、前記レバーは、前記複数の部材とは別体であって、前記複数の部材のうちのいずれかに脱落不能に取り付けられており、前記レバーの回動操作によって前記係合爪が係合解除姿勢に変形させられる、
椅子。
【請求項２】
背もたれが、背板とこれが取り付くバックサポートとを有しており、前記背板に、上端が前後動するように撓み変形する係合爪を設けている一方、前記バックサポートには、前記係合爪の上に位置して背板を上向き移動不能に保持するストッパー部と、前記係合爪を前記ストッパー部から外れた係合解除姿勢に付勢するレバーとが設けられている椅子であって、
前記レバーは、前記背板及びバックサポートとは別体であると共に、前記背もたれの背面側から回動操作することにより、前記係合爪が係合解除される、
椅子。
【請求項３】
背もたれが、背板とこれが取り付くバックサポートとを有しており、前記背板に、上端が前後動するように撓み変形する係合爪を設けている一方、前記バックサポートには、前記係合爪の上に位置して背板を上向き移動不能に保持するストッパー部と、前記係合爪を前記ストッパー部から外れた係合解除姿勢に付勢するレバーとが設けられている椅子であって、
前記レバーは、当該レバーに形成した軸受け穴を支軸に嵌め込むことで回動自在に保持されており、前記支軸には平板状部が形成されている一方、前記レバーの軸受け穴には、前記レバーを所定姿勢にしないと軸受け穴を支軸の平板状部に嵌め込みできないように突起を設けており、前記支軸の平板状部が、前記背板を取り外した状態でしか前記レバーを嵌め込みできない姿勢になっている、
椅子。
【請求項４】
前記レバーと前記係合爪とに、前記係合爪を係合解除姿勢にした状態で互いに噛み合う当接保持手段を設けており、前記当接保持手段により、前記係合爪が係合解除姿勢に保持される、
請求項１〜３のうちのいずれかに記載した椅子。
【発明の詳細な説明】
【技術分野】
【０００１】
本願発明は、部材同士の係合状態（連結状態・接続状態）を係合爪によって保持している椅子に関するものである。
【背景技術】
【０００２】
椅子において、部材の取り付け手段として、撓み変形する係合爪を使用していることが多い。例えば、背もたれについて見ると、係合爪を利用して背板（背インナーシェル）をバックサポート（背アウターシェル）や背支柱に上向き動不能に保持していることがある。また、座においても、座受け部材に対する座板（座インナーシェル）の連結状態を係合爪によって保持していることがある。
【０００３】
そして、係合爪を撓み変形させて係合解除姿勢にすることによって、部材同士の連結が解除される。この場合、係合爪を係合解除姿勢に変形させる手段としては、人が指先で押し引きしたり、特許文献１に記載されているように、工具を使用したりしている。
【先行技術文献】
【特許文献】
【０００４】
【特許文献１】特許第４２０２７８３号公報
【発明の概要】
【発明が解決しようとする課題】
【０００５】
係合爪は隠れた部位に配置していることが多く、また、指先を当てる面積は小さい場合が多いため、指で撓み変形させるのは面倒でしかも指先が痛い場合がある。他方、特許文献１のように工具を使用する場合は、人への負担は少ないが、工具を紛失すると作業できないという厄介な問題がある。
【０００６】
本願発明は、このような現状を改善することを課題とする。
【課題を解決するための手段】
【０００７】
前記課題を解決すべく請求項１の発明では、部材同士の連結状態が係合爪によって保持されており、前記係合爪を係合解除姿勢に撓み変形させると連結状態が解除される椅子において、
前記係合爪によって連結される複数の部材のうちいずれかに、前記係合爪を係合解除姿勢に撓み変形させる回動式のレバーが設けられており、前記レバーは、前記複数の部材とは別体であって、前記複数の部材のうちのいずれかに脱落不能に取り付けられており、前記レバーの回動操作によって前記係合爪が係合解除姿勢に変形させられる構成になっている。
【０００８】
請求項２の発明では、背もたれが、背板とこれが取り付くバックサポートとを有しており、前記背板に、上端が前後動するように撓み変形する係合爪を設けている一方、前記バックサポートには、前記係合爪の上に位置して背板を上向き移動不能に保持するストッパー部と、前記係合爪を前記ストッパー部から外れた係合解除姿勢に付勢するレバーとが設けられている、という基本構成の椅子において、
前記レバーは、前記背板及びバックサポートとは別体であると共に、前記背もたれの背面側から回動操作することにより、前記係合爪が係合解除される。
【０００９】
請求項３の発明は、請求項２と同じ基本構成において、前記レバーは、当該レバーに形成した軸受け穴を支軸に嵌め込むことで回動自在に保持されており、前記支軸には平板状部が形成されている一方、前記レバーの軸受け穴には、前記レバーを所定姿勢にしないと軸受け穴を支軸の平板状部に嵌め込みできないように突起を設けており、前記支軸の平板状部が、前記背板を取り外した状態でしか前記レバーを嵌め込みできない姿勢になっている。
【００１０】
請求項４の発明は、請求項１〜３のうちのいずれかにおいて、前記レバーと前記係合爪とに、前記係合爪を係合解除姿勢にした状態で互いに噛み合う当接保持手段を設けており、前記当接保持手段により、前記係合爪が係合解除姿勢に保持される。
【発明の効果】
【００１１】
本願発明では、係合爪はレバーによって解除解除姿勢に撓み変形させられるため、係合爪の係合解除作業は、工具を使用する場合と同様に、人への負担を無くした状態で簡単かつ安全に行える。しかも、レバーは椅子に取り付けられているため、紛失して作業が不能になってしまうような不都合は皆無である。
【００１２】
レバーにどのような動きをさせるかは種々選択できるが、本願各発明のように回動式を採用すると、操作性や動作の確実性に優れていると言える。この場合、レバーを部材に回動自在に取り付ける方法としては、例えば、ねじ込み式の軸やスナップリングで抜け止めされる軸をレバーに貫通させるといったことも可能であるが、このように貫通式の軸を使用するとレバーの取り付けに手間がかかる。
【００１３】
これに対して、請求項３のように構成された嵌め込み式を採用すると、レバーは部材に一体成形された支軸に嵌め込むだけでよいため取り付け作業はごく簡単であり、しかも、係合爪による連結を解除して部材を取り外さないとレバーを支軸から取り外すことはできないため、椅子の使用中にレバーが脱落するといった不具合は皆無である。従って、請求項３によると、レバーを脱落不能な状態に簡単に取り付けできる利点がある。
【００１４】
係合爪は弾性復元力で係合姿勢に戻ろうとするため、連結された部材を分離するには、係合爪を係合解除姿勢に保持しておかねばならない。この点、レバーを指先で回動させた状態を保持することにより、係合爪を係合解除姿勢に保持し続けるということも可能ではあるが、部材が背板のように大きなものであると、片手でレバーを操作し続けながら他方の手で部材を取り外すというのは非常に厄介である。この点、請求項４の構成を採用すると、係合爪はレバーによって係合解除姿勢に保持されるため、一人の作業でも部材の取り外しを簡単に行える利点がある。
【図面の簡単な説明】
【００１５】
【図１】椅子の外観図であり、（Ａ）は前方から見た斜視図、（Ｂ）は後ろから見た斜視図、（Ｃ）は側面図である。
【図２】椅子の分離斜視図である。
【図３】クッションを省略した状態での背もたれの外観図であり、（Ａ）は前方から見た斜視図、（Ｂ）は側面図、（Ｃ）は後ろから見た斜視図である。
【図４】（Ａ）は背もたれの背面部を下方から見た斜視図、（Ｂ）は分離側面図である。
【図５】背もたれを後ろから見た分離斜視図である。
【図６】背もたれの構成要素を分離して後ろから見た分離斜視図である。
【図７】（Ａ）（Ｂ）とも、背もたれの分離斜視図である。
【図８】メインメンバーを裏返してバックサポートと並べた正面図である。
【図９】（Ａ）はメインメンバーとバックサポートとの分離斜視図、（Ｂ）はバックサポートの下部の部分斜視図、（Ｃ）はメインメンバーの下部の部分斜視図である。
【図１０】（Ａ）はメインメンバーの部分背面図、（Ｂ）はメインメンバーを後ろから見た部分斜視図、（Ｃ）はクッションの端部の部分正面図、（Ｄ）はクッションの取付け態様を示す平断面図である。
【図１１】（Ａ）はバックサポートの部分正面図、（Ｂ）はバックサポートを前から見た部分斜視図、（Ｃ）はバックシートの端部の部分正面図、（Ｄ）はバックシートの取付け態様を示す平断面図である。
【図１２】（Ａ）（Ｂ）とも要部の分離斜視図である。
【図１３】（Ａ）は背もたれの左右中央部で切断した分離図、（Ｂ）は継手の斜視図である。
【図１４】（Ａ）は背もたれの左右中央部での側断面図、（Ｂ）はトップメンバーの側端部の斜視図、（Ｂ）はトップメンバーの側端部の底面図である。
【図１５】レバーの配置箇所の側断面図である。
【図１６】レバーの箇所を表示した図であり、（Ａ）は破断斜視図、（Ｂ）は係合解除状態での側断面図である。
【図１７】レバーの配置箇所における分離断面図である。
【発明を実施するための形態】
【００１６】
次に、本願発明の実施形態を図面に基づいて説明する。本実施形態は、事務用に多用されている回転式ロッキング椅子に適用している。本願では方向を特定するため「前後」「左右」といった文言を使用するが、これは、普通の姿勢で着座した人の向きを基準にしている。正面視は、着座した人と対向した方向になる。
【００１７】
(1).椅子の概要
まず、主として図１〜６を参照して椅子の概要を説明する。図１に示すように、椅子は、大きな要素として脚１と座２と背もたれ３とを備えている。脚１は、放射方向に延びる枝足を有しているが図示は省略しており、ガスシリンダよりなる脚支柱４のみを表示している。脚支柱４の上端にはベース５が固定されており、ベース５の上方に座２が配置されている。
【００１８】
図２に示すように、座２は、樹脂製の座インナーシェル（座板）６とその上面に張った座クッション７とから成っており、図２に示す中間支持体８に、前後位置調節可能に取付けられている。中間支持体８の前部はフロントリンク９を介してベース５の前部に連結されており、フロントリンク９は、側面視でベース５と中間支持体８との両方に対して相対回動する。従って、フロントリンク９が回動することにより、中間支持体８及び座２は上下動しながら前後動する。
【００１９】
背もたれ３は、着座者の体圧がかかるショル状の背板（背インナーシェル）１０と、これが取付けられたシェル状のバックサポート（背アウターシェル）１１とを有しており、背板１０の前面に背クッション１２が張られている。背クッション１２は、クロス等の表皮材１３で前から覆われている。そして、図２に明示するように、背板１０は、バックサポート１１の手前に配置されたメインメンバー１４と、メインメンバー１４の上に重ね配置されたトップメンバー１５との２つの部材（パーツ）に分離している。両メンバー１３，１４は、樹脂を材料にして製造された射出成形品である。
【００２０】
本実施形態では、メインメンバー１４が背もたれ３の大部分を占めて、トップメンバー１５は背もたれ３の上部を構成している。もとより、メインメンバー１４とトップメンバー１５との高さの比率や実際の寸法は任意に設定できる。メインメンバー１４の前面とトップメンバー１５の前面は、滑らかに連続している。従って、着座した人は、一体構造の背もたれと同様に違和感なく凭れる掛かることができる。本実施形態のトップメンバー１５は、後ろに曲がって下向きにＵターンした形状をしており、従って、おおよそ下向き開口Ｕ字に近い側面視形態になっている。
【００２１】
背板１０におけるメインメンバー１４の上端とバックサポート１１の上端とは略同じ高さになっており、背板１０のトップメンバー１５はバックサポート１１の上面に重なっている。そして、背板１０のトップメンバー１５は、バックサポート１１の上部後方に回り込むようにオーバーハングしている。
【００２２】
図３に明示するように、バックサポート１１の下端には、前向きに延びる左右一対のアーム１６が一体に形成されており、左右のアーム１６は、門形のジョイント１７で連結されている。そして、左右のアーム１６は、その前端部を中心にして後傾するようにベース５に連結されており、かつ、左右のアーム１６は、金具１８（図１（Ｂ）に僅かに露出している。）を介して中間支持体８の後部と連結している。このため、背もたれ３が後傾すると、中間支持体８（座２）は金具１８に引かれて後退しつつ上昇する。ベース５の後部には、ロッキングに抵抗を付与する弾性体が配置されている。
【００２３】
バックサポート１１の下端部は、アーム１６の付け根よりも下方に突出している。また、バックサポート１１の下部の背面にはロアカバー１９が装着されている。バックサポート１１は後ろからバックシート２０で覆われており、ロアカバー１９もバックシート１１で覆われている。なお、アーム１６をバックサポート１１とは別部材に構成することも可能である。図１（Ａ）に示すように、表皮材１３の上部には後ろ向き引き込み部２１を設けている。
【００２４】
(2).メインメンバー
以下、背もたれ３の詳細を説明する。まず、図７〜１１を中心にして、メインメンバー１４とバックサポート１１とを説明する。図８に明示するように、バックサポート１１とメインメンバー１４とは、上端の横幅より下端の横幅が小さい形状であり、従って、両者とも正面視で逆台形の形状を成している。例えば図７（Ｂ）に明示するように、バックサポート１１とメインメンバー１４とは、いずれも平面視で前向き凹状に緩い曲率で湾曲しており、かつ、両者とも着座者の腰部が当たる部分が最も前に位置するように、側面視で前向き凸状に湾曲している。
【００２５】
例えば図２に示すように、メインメンバー１４の左右両側部には、前向きに突出した角形のサイド突条２３が形成され、メインメンバー１４の下端にも、前向きに突出した角形のボトム突条２４が形成されている。両突条２３，２４は互いに連続している。両突条２３，２４は、後ろ向きに開口してチャンネル状の形態を成している。従って、突条２３，２４は外壁と内壁を有している。
例えば図１０（Ｄ）に示すように、背クッション１２は、サイド突条２３及びボトム突条２４の内側に配置されており、従って、サイド突条２３とボトム突条２４とは、補強機能と背クッション１２の位置決め機能とを有している。背クッション１２を覆う表皮材１３はメインメンバー１４の後ろに巻き込まれており、表皮材１３の端縁はバックサポート１１で隠れている。
【００２６】
そして、表皮材１３の端縁には、樹脂板のような帯板状の縁板２５が縫着や接着等の手段で固定されている一方、メインメンバー１４の背面のうち突条２３，２４のやや内側に位置した部位には、キャッチ突起２６を適宜間隔で数形成しており、縁板２５に形成したキャッチ穴２７をキャッチ突起２６に嵌め込んでいる。なお、縁板２５は、その全体を表皮材１３に重ねて縫着しており、このため、表皮材１３は縫着部の箇所で折り返されている。
【００２７】
(3).バックサポート
例えば図７及び図８に示すように、バックサポート１１の左右両側縁は略前向きに突出した側壁１１′になっており、また、バックサポート１１の下部には、メインメンバー１４におけるボトム突条２４の後ろに位置した左右横長のロアリブ３０が前向き突設されている。ロアリブ３０の下面には、多数の補強リブが連接されている。図１０（Ｄ）に示すように、バックサポート１１の側壁１１′は、メインメンバー１４におけるサイド突条２３の後ろに位置している。図１０（Ｄ）（及び図１１（Ｄ））では、表皮材１３と側壁１１′との間に空間が空いているが、表皮材１３はある程度の厚さがあるので、実際には、側壁１１′の先端は表皮材１３に当接している。
【００２８】
バックサポート１１の前面には、アーム１６に連続する左右一対ずつの内側縦リブ３１及び外側縦リブ３２が前向きに突設されており、ロアリブ３０は内側縦リブ３１に接続されている。また、左右の外側縦リブ３２の上端は、上部水平リブ３３を介して連続しており、左右の内側縦リブ３１の上端は、下部水平リブ３４を介して連続している。また、下部水平リブ３４は、左右の外側縦リブ３２にも連続している。
【００２９】
これらのリブ３０〜３４は、補強機能を有すると共に、背板１０が着座者の体圧で後ろ向きに凹むように変形したときの変形量を規制するストッパーの役割も果たしている。また、内外の縦リブ３１，３２は、背板１０を取付ける機能も果たしている（この点は後述する）。
【００３０】
既述のようにバックサポート１１は、バックシート２０で後ろから覆われている。図１１（Ｃ）（Ｄ）に示すように、バックシート２０の周縁にも、樹脂板等の帯の縁板３５が縫着等で固定されている一方、バックサポート１１の前面のうち左右両側部には、キャッチ突起３６が上下適宜間隔で前向きに突設されており、縁板３５に空けたキャッチ穴３７をキャッチ突起３６に嵌め込んでいる。キャッチ突起３６には、抜け止めのための膨出部３６ａが形成されている。
【００３１】
(4).バックサポートへのメインメンバーの取付け手段
メインメンバー１４は、バックサポート１１に簡単に着脱できる。この点を、主として図９を参照して説明する。メインメンバー１４は、バックサポート１１に左右ずれ不能に保持する必要がある。そこで、メインメンバー１４の左右両側部と下部とに略角形の位置決め突起４２，４３を後ろ向きに突設して、上部位置決め突起４２は、バックサポート１１に設けた左右一対の上部挟持体４４の間に嵌め入れ、下部位置決め突起４３は、バックサポート１１における内外縦リブ３１，３２の間に嵌め入れている。
【００３２】
また、メインメンバー１４を前向き移動不能に保持する第２係合部として、メインメンバー１４のうち上部位置決め突起４２の外側に上部係合体４５を後ろ向きに突設し、この上部係合体４５の先端部に、平面視で傾斜した上部係合爪４６を一体に設けている一方、バックサポート１１の前面には、上部係止片４６が引っ掛かる平面視Ｌ形の上部係合受け部４７を形成している。上部係合受け部４７には、補強のため底板４７ａを設けている。
【００３３】
上部係止片４６は、手前に行くほど左右外側にずれるように平面視で傾斜した舌状の形態であり、このため、その先端が上部係合体４５に近づくように撓み変形し得る（弾性に抗して窄まり変形し得る。）。また、メインメンバー１４が左右移動不能に保持された状態で、上部係合受け部４７と上部係合爪４６とが前後から噛み合っている。このため、背板１０は前向き離反不能に保持されている。
【００３４】
メインメンバー１４の背面のうち下部位置決め突起４３より下方の下端部には、下部係合体４８を後ろ向きに突設しており、この下部係合体４８に、平面視で傾斜した左右一対の下部係止片４９を一体に設けている。左右の下部係止片４９は舌状の形態であり、両者は、手前に行くほど互いの間隔が広がるように傾斜している。すなわち、下部係合体４８と左右の下部係止片４９とによって、矢印形が形成されている。下部係止片４９も上部係止片４６と同様に、その付け根を中心に回動するように弾性に抗して撓み変形し得る。
【００３５】
メインメンバー１４の下部係合体４８は、バックサポート１１における内外縦リブ３１，３２の間の溝に入り込む。そして、内外の縦リブ３１，３２に、下部係止片４９が後ろ側から当接する左右一対の下部係合受け部５０を、相対向するように形成している。
【００３６】
上下の係合爪４６，４９は、基本的には、背板１０を上からずらし移動させるたことで係合受け部４７，５０に係合させられる。但し、場合によっては、上からずらし移動させても、上下の係合爪４６，４９のうちいずれか一方又は両方が係合受け部４７，５０に嵌まらない場合が有り得る。この場合は、図１０に矢印Ａで示すように、メインメンバー１４をバックサポート１１に対して後ろ向きに押し付けることにより、係合受け部４７，５０に係合させることができる。この場合は、係合爪４６，４９を弾性変形させて、係合受け部４７，５０に引っ掛けることになる。そして、両係止片４６，４９は釣り針の返りのような形態であるため、いったん受け部４７，５０に噛み合うと、手前に引き移動させることはできない。
【００３７】
メインメンバー１４は、その上端においても、バックサポート１１に対して左右動不能及び下向き移動不能に保持されている。すなわち、メインメンバー１４の上端のうち左右両端寄り部位に後ろ向きの上端突起５３と、上端突起５３に連続した上下開口の上枠部５４とを後ろ向きに突設している一方、バックサポート１１には、上端突起５３が嵌まる上端凹部５５と、上枠部５４に下方から嵌まり込む雄型受け部５８とが形成されている。雄型受け部５８の下方は、前後に開口した内枠部５６になっている。
【００３８】
本実施形態では、背板１０のメインメンバー１４に形成した外枠部５４と上下係合突起４５，４８、及び、バックサポート１１に形成した内枠部５６と係合受け部４７，５０が、背板１０を前向き動不能に保持する係合手段を構成している。もとより、係合手段として他の構造を採用することも可能である。
【００３９】
上端突起５３の上面は上フランジ６３になっており、他方、バックサポート１１における上端凹部５５の上部は、上フランジ６３が前から重なる上段部５５ａになっている。また、メインメンバー１４の上枠部５４は、左右横長の前後横バー部５４ａ，５４ｂを有しており、両者の間に、雄型受け部５８が位置している（図１７参照）。内枠部５６は、左右側板５７と雄型受け部５８と下面５９とを有していて、上下に長い長方形の形態を成している。
【００４０】
メインメンバー１４のうち上枠部５４の真下部位には、トップメンバー１５を上向き動不能に保持する係合手段の一例して、アッパー係合爪６０が形成されている。アッパー係合爪６０は、弾性に抗して変形することにより、その下端を中心にして前後に回動し得る。他方、バックサポート１１における内枠部５６の内部のうち、やや上下中間位置より上方の部位には、横長の支軸６１が一体に形成されており、この支軸６１に、例えば図１２（Ａ）や図１８に示すレバー６２が回動自在に取付けられている。
【００４１】
そして、トップメンバー１５は、アッパー係合爪６０によって上向き移動不能に保持されると共に、レバー６２を回動操作することによって、トップメンバー１５に対するアッパー係合爪６０の係合を解除することができる。この点は後述する。
【００４２】
例えば図１２に示すように、メインメンバー１４の上端には、後ろ向きに突出した庇状の上フランジ６３が形成されている。外枠部５４は、上フランジ６３に連続した状態に形成されている。他方、例えば図９（Ａ）に示すように、バックサポート１１の上端にも上フランジ６４が形成されている。内枠部５６の上端は、上フランジ６４から少し突出している。
【００４３】
例えば図５に示すように、バックサポート１１の上部のうち左右の内枠部５６の間には、後ろ向き突出部６５が形成されている。後ろ向き突出部６５は、上フランジ６４に連続した背面板６６と、背面板６６及びバックサポート１１の基板に連続した下面板６７とを有しており、図４（Ａ）に示すように、下面板６７には、人が手先を差し込むことができる引手穴６８を設けている。このため、人は、バックサポート１１のオーバーハング部６５に手を掛けて椅子を引き寄せたり、引いて移動させたりすることができる。
【００４４】
(5).トップメンバーの構造及びメインメンバーとの関係
次に、従前の図に加えて図１５〜図１７も参照して、トップメンバー１５とその取付け構造を説明する。例えば図１３から理解できるように、バックサポート１１は、メインメンバー１４の上フランジ６３及びバックサポート１１の上フランジ６４に対向する重合面７１を有しており、重合面７１の左右中間部と左右両端部とに第１下向き突起７２を設け、第１下向き突起７２を、メインメンバー１４の上フランジ６３に形成した位置決め穴７３に嵌め入れている。
【００４５】
例えば図１２や図１３（Ａ）に示すように、トップメンバー１５のうち第１下向き突起７２の少し内側の部位には、ガイドリブ７４を設けている。ガイドリブ７４の前面は上に行くほど手前にずれるように傾斜しており、背板１０の取付けに際しては、ガイドリブ７４がバックサポート７の雄型受け部５８に上から当たることにより、背板１０はバックサポート７に重なるように後ろ向き移動がガイドされる。
【００４６】
図１２に示すように、トップメンバー１５の左右両側部には、メインメンバー１４のサイド突条２３に連続したトップ突条７５が形成されており、トップ突条７５の下端に第２下向き突起７６を設けている。他方、メインメンバー１４におけるサイド突条２３の上端は、上向きに開口した筒状部７７になっており、この筒状部７７に、第２下向き突起７６を嵌め入れている。なお、突起と筒状部との関係を逆にしてもよいし、別部材の継手で連結することも可能である。
【００４７】
トップメンバー１５の重合面７１はその左右両端部が切欠かれた状態になっており、このため、トップメンバー１５の左右両側部には、上端近くまで延びる横向きのサイド凹所７８が開口している。そして、バックサポート１１の左右両端部に差し込み装着した上下長手のプラグ７９を、トップメンバー１５のサイド凹所７８に嵌合させている。
【００４８】
例えば図９（Ａ）に示すように、バックサポート１１の左右両端部には前向きに開口した溝形の耳部１１ａを形成しており、耳部１１ａに形成した蟻溝１１ｂに、プラグ７９の足部７９ａ（図１３（Ｂ）参照）が嵌め込まれている。プラグ７９における足部７９ａの下端には後ろ向きの爪７９ｂが形成されている一方、図９（Ａ）に示すように、バックサポート１１の耳部には、プラグ７９の爪７９ｂが下方から引っ掛かり係合する爪キャッチ１１ｃを前向きに突設している。
【００４９】
トップメンバー１５のううち重合面７１より上の部分には、軽量化及び樹脂の使用量節減のため前向き開口の空所と後ろ向き開口の空所が多数形成されている。トップメンバー１５は相当の部分がバックサポート１１の後ろにオーバーハングしており、かつ、トップメンバー１５の後端にはバックサポート１１の後ろ向き突出部６５を後ろから覆う後ろ壁８０が形成されている。トップ突条７５は後ろ壁８０の下端まで延びており、更に、後ろ壁８０の下端には、トップ突条７５に連続したバック突条８１が形成されている。
【００５０】
背クッション１２は、メインメンバー１４から上向きに延びてトップメンバー１５も覆っている。従って、図１３（Ａ）に示すように、背クッション１２は、トップメンバー１５のバック突条８１まで延びている。そして、表皮材１３は後ろ壁８０の内面まで巻き込まれており、縁板２５をキャッチ突起２６に嵌合させている。図１２（Ａ）（Ｂ）から理解できるように、表皮材１３は、トップメンバー１５のサイド凹所７８の内部にも入り込んでおり、サイド凹所７８の内壁７８ａに設けたキャッチ突起２６に縁板２５を嵌め込んでいる。このため、表皮材１３は、サイド凹所７８の外側部において張った状態に保持されている。
【００５１】
図１３（Ａ）及び図１４（Ａ）に示すように、第１下向き突起７２は、側面視で下窄まりのテーパ形状になっている一方、メインメンバー１４の位置決め穴７３は、側面視で上向きに広がったテーパ状になっており、このため、第１下向き突起７２は位置決め穴７３にスムースに誘い込まれる。なお、既述のとおり、背板１０は、ガイドリブ７４によってバックサポート７に密着するうにガイドされ、このガイドの過程で、第１下向き突起７２は位置決め穴７３に誘い込まれる。
【００５２】
第１下向き突起７２には係合爪８２を形成し、位置決め穴７３の背面部には補助係合穴８３を形成している。左右中間部の第１下向き突起７２では、係合爪８２は後ろ向きに突出しており、左右両側の第１下向き突起７２では、係合爪８２は前向きに突出している。これら係合爪８２が補助係合穴８３に嵌合していることにより、トップメンバー１５は、メインメンバー１４に対して上向き離脱不能に保持されている。
【００５３】
(6).背板の係止構造
背板１０は、通常は、バックサポート１１に対して上向き離脱不能に保持されると共に、取り外しは容易に行える。この機能は、既述のレバー６２とアッパー係合爪６０とを主要部材として達成される。従って、アッパー係合爪６０が請求項に記載した連結用の係合爪に相当する。以下、詳細を説明する。
【００５４】
図１５及び図１６（Ａ）は、背板１０（メインメンバー１４）がバックサポート１１に対して離脱不能に保持された状態を表示しており、この状態では、アッパー係合爪６０の上に、バックサポート１１における内枠部５６の雄型受け部５８が位置しているため、メインメンバー１４（背板１０）を上向き移動させることはできない。すなわち、背板１０は、取り外し不能に保持されている。アッパー係合爪６０の上面には、バックサポート７における雄型受け部５８の手前に位置したリブ（ストッパー）８４を形成しており、このため、アッパー係合爪６０が後ろ側に回動する姿勢が規制されている。
【００５５】
また、バックサポート７における雄型受け部５８の上面は側断面視で円弧状になっており、上端にはリブ８５を突設している。雄型受け部５８のリブ８５の上面にトップメンバー１５の重合面７１が近接しており、かつ、雄型受け部５８のリブ８５の後ろに、外枠部５４における後部横バー５４ｂが位置している。また、後部横バー５４ｂは、トップメンバー１５における重合面７１の奥部に形成した前向き溝８６に嵌まっている。これによってもトップメンバー１５は、メインメンバー１４に対して上向き分離不能に保持されている。
【００５６】
アッパー係合爪６０は付け根部が細くなっており、このため、付け根を支点にして前後方向に回動するように弾性変形する。そして、アッパー係合爪６０の後面は側面で上に行くほど後退するように湾曲しており、かつ、上端には後ろ向きに突出した顎部８７が形成されており、顎部８７の後端に下方及び後方に開口した切欠き部８８を形成している。
【００５７】
他方、レバー６２は、アッパー係合爪６０の後ろに配置された支軸６１に回動自在に取付けられている。すなわち、レバー６２のうち上下中間高さより僅かに上の部位に後ろ向きに開口した軸受け溝穴８９を形成し、この軸受け溝穴８９を支軸６１に嵌め込んでいる。このため、レバー６２は支軸６１の軸心周りに回動し得る。
【００５８】
支軸６１は、側面視で傾斜した姿勢の平板状部６１ａを有しており、レバー６２における軸受け溝穴８９のうち支軸６１の平板状部６１ａに対応した部位には、相対向する方向に突出する上下のストッパー９０を設けている。上下ストッパー９０の間の間隔は、平板状部６１ａの厚さより僅かに大きい寸法に設定している。
【００５９】
従って、レバー６２は、上端が後ろで下端が前になる傾斜姿勢とすることにより、支軸６１に取付けることができる。そして、レバー６２はバックサポート１１の内枠部５６で囲われており、いったん支軸６１に取付けると、上端が後ろで下端が前になる姿勢にすることはできない。従って、レバー６２が支軸６１から外れることはない。換言すると、背板１０を取り外さないとレバー６２を支軸６１に着脱できない。
【００６０】
レバー６２の上端には、アッパー係合爪６０の切欠き部８８に嵌合可能な角部９１を形成している。そして、図１６（Ｂ）に示すように、レバー６２の下部に指先を当てて後ろに引くと、アッパー係合爪６０は、その上端が前に押されることで弾性に抗して変形し、レバー６２を引き切ると、上端の角部９１でアッパー係合爪６０の切欠き部８８に嵌まり、アッパー係合爪６０は手前に回動した状態に保持される。
【００６１】
従って、アッパー係合爪６０の切欠き部８８とレバー６２の角部９１とにより、請求項に記載した当接保持手段が構成されている。角部９１を突部と称して、切欠き部８８を凹部と称することも可能であり、また、凹凸の関係を逆にすることも可能である。レバー６２の回動によってアッパー係合爪６０が容易に変形するように、アッパー係合爪６０の上部後端は側面視で丸みを帯びている。
【００６２】
レバー６２によってアッパー係合爪６０が手前に回動した状態では、アッパー係合爪６０はバックサポート１１における雄型受け部５８５８の手前に位置しており、従って、メインメンバー１４を上に移動させることができる。換言すると、背板１０をバックサポート１１から取り外すことができる。背板１０をバックサポート１１から取り外すと、レバー６２とアッパー係合爪６０との当接関係は解除され、レバー６２はほぼ鉛直姿勢に戻る。この状態では、レバー６２は、内枠部５６における上板５８の下方に位置している。
【００６３】
そして、トップメンバー１５の重合面７１がバックサポート１１の上面に重なるように、背板１０をずらし移動させると、アッパー係合爪６０は、内枠部５６における上板５８のガイド作用によっていったん手前に回動し、次いで、トップメンバー１５を下降させ切ると、アッパー係合爪６０は弾性復元力によって戻り変形し、その上端が雄型受け部５８の下方に位置する。この場合、既述のとおり、ガイドリブ７４により、背板１０はバックサポート７に重なるようにガイドされる。
【００６４】
このように、背板１０は、バックサポート１１に対して離脱不能に保持されると共に、レバー６２を回動操作してバックサポート１１に対するメインメンバー１４の係合を解除するだけで、簡単に取り外すことができる。また、背板１０は、バックサポート１１に重ね配置するだけのワンタッチ的な操作により、バックサポート１１に離脱不能な状態に取り付けることができる。このため、ユーザーであっても背板１０を簡単に交換できる。
【００６５】
本実施形態のように、背板１０を構成するトップメンバー１５の後ろ壁部８０によってレバー６２を覆うと、人目に触れない状態にレバー６２を配置できるため、美感に優れている。
【００６６】
(7).その他
本願発明は、上記の実施形態の他にも様々に具体化できる。例えば適用対象は回転椅子に限定されず、固定式椅子などの各種の椅子に適用できる。また、背もたれがロッキングしない椅子にも適用できることはいうでもない。実施形態では、背板をメインメンバーととトップメンバーとの２つの部材で構成したが、背板は必ずしも複数のメンバーで構成する必要はなく、単一構造にすることも可能である。また、複数の部材で構成する場合、３段以上に分離することも可能である。
【００６７】
背板及びバックサポートは必ずしもシェル状の構造である必要はなく、様々の形態・構造を採用できる。例えば背板を前後に開口した枠状に構成して、これにメッシュ材を張ることも可能である。他方、バックサポートは、例えば前後に開口したフレーム形状にするなど、種々の形態・構造を採用できる。本願発明は、背板とバックサポートとの連結以外の各種の部材同士の連結に適用できる。係合爪及びレバーの形状や作動形態も、部材の形状等に応じて任意に設計できる。
【産業上の利用可能性】
【００６８】
本願発明は、椅子に適用して有用性を発揮する。従って、産業上利用できる。
【符号の説明】
【００６９】
２  座
３  背もたれ
１０  背板（背インナーシェル）
１１  バックサポート（背アウターシェル）
１２  背クッション
１４  背板を構成するメインメンバー
１５  背板を構成するトップメンバー
４５，４８  上部係合体
４６，４９  係止片
４７，５０  係合受け部
５４  外枠体
５６  内枠体
５８  アッパー係合爪が当接（係合）する雄型受け部（ストッパー）
６０  アッパー係合爪
６１  支軸
６１ａ  平板状部
６２  レバー
８８  当接保持手段を構成する切欠き部
９１  当接保持手段を構成する角部
【図１】
0005710962.tif 000002
【図２】
0005710962.tif 000003
【図３】
0005710962.tif 000004
【図４】
0005710962.tif 000005
【図５】
0005710962.tif 000006
【図６】
0005710962.tif 000007
【図７】
0005710962.tif 000008
【図８】
0005710962.tif 000009
【図９】
0005710962.tif 000010
【図１０】
0005710962.tif 000011
【図１１】
0005710962.tif 000012
【図１２】
0005710962.tif 000013
【図１３】
0005710962.tif 000014
【図１４】
0005710962.tif 000015
【図１５】
0005710962.tif 000016
【図１６】
0005710962.tif 000017
【図１７】
0005710962.tif 000018